(57)【要約】【課題】発電素子に入射する外部からの光をできるだけ減衰させないで入射させることができる複合発光装置を提供する。【解決手段】ＥＬ素子と発電素子とを備えている複合発光装置であって、複合発光装置１０は、透明基板１１上に有機ＥＬ素子２７が形成され、透明基板１１上の有機ＥＬ素子２７が形成されている部分以外のところに外部からの光及び有機ＥＬ素子２７から発光された光を電気に変換する発電素子２８が形成されている。【選択図】      図１
2005203239.tif 000002
【特許請求の範囲】
【請求項１】
ＥＬ素子及び発電素子を備えている複合発光装置であって、
前記ＥＬ素子は、基板上に形成されており、
前記発電素子は、外部からの光を電気に変換するとともに、前記基板上の前記ＥＬ素子が形成されている部分以外の部分に形成されていることを特徴とする複合発光装置。
【請求項２】
ＥＬ素子及び発電素子を備えている複合発光装置であって、
ＥＬ素子及び発電素子がそれぞれ個別の基板上に形成され、それぞれがＥＬパネル及び発電パネルを形成しており、前記ＥＬパネル及び前記発電パネルを平面状又は湾曲した面状に配列して構成されている
ことを特徴とする複合発光装置。
【請求項３】
前記複合発光装置は、複数の前記ＥＬパネル及び前記発電パネルを備えており、それぞれの前記ＥＬパネル及び前記発電パネルが平面状又は湾曲した面上に配列されている請求項２に記載の複合発光装置。
【請求項４】
前記複合発光装置は、前記発電素子により光から変換された電気を充電する充電部を備えており、前記充電部に充電された電気を用いて前記ＥＬ素子を発光させることができる請求項１から請求項３のいずれか一項に記載の複合発光装置。
【請求項５】
前記複合発光装置は、外部からの電源を備えており、前記電源から供給される電気を用いて前記ＥＬ素子を発光させることができる請求項１から請求項４のいずれか一項に記載の複合発光装置。
【請求項６】
前記複合発光装置の外部からの光が入射する側の少なくとも前記ＥＬ素子に対応する部分上に紫外線を減衰させる機能を備えた紫外線減衰部材が設けられている請求項１から請求項５のいずれか一項に記載の複合発光装置。
【請求項７】
前記複合発光装置は、センサーが備えられており、センサーからの信号に基づいて前記ＥＬ素子の点灯及び/又は消灯を制御している請求項１から請求項６のいずれか一項に記載の複合発光装置。
【請求項８】
前記ＥＬ素子は有機ＥＬ素子である請求項１から請求項７のいずれか一項に記載の複合発光装置。
【発明の詳細な説明】
【技術分野】
【０００１】
本発明は、ＥＬ素子と発電素子とを一体化した複合発光装置に関する。
【背景技術】
【０００２】
従来、発光素子と、発電素子としての太陽電池とを組み合わせて、発光素子から発光される光を利用して太陽電池により発電を行う複合発光素子が提案されている（例えば、特許文献１参照。）。また、発光要素と発電要素とを積層して外部からの光を利用して発電要素で発電を行い、発光要素で発光を行う一体型薄膜太陽電池を備えた複合表示装置が提案されている（例えば、特許文献２参照。）。
【０００３】
特許文献１に記載の複合発光素子は、透明基板上に自己発光素子と光電子変換素子とが順に積層されている。そして、ＤＣ/ＤＣインバーターやコンデンサーなどの電気変換装置を備えている。
【０００４】
図５に示すように、特許文献２に記載の複合表示装置６０は、基板６１上に発電素子としての発電要素７１を構成する導電層６２、薄膜半導体層６３、導電層６４及び保護層６５が順に形成され、さらに発光素子としての発光要素７２を構成する導電層６６、発光層６７、導電層６８及び保護層６９が発電要素７１上に順に形成されている。
【特許文献１】特開平１１−３５４７７３号公報（［０００６］〜［０００９］）
【特許文献２】特開２００２−８８５１号公報（［０００６］〜［００１３］、図１）
【発明の開示】
【発明が解決しようとする課題】
【０００５】
ところが、特許文献１記載の複合発光素子は、自己発光素子から発光される光のみを光電子変換素子が電気に変換することを目的としている。また、特許文献２記載の複合発光素子６０は、基板上に発電要素７１と発光要素７２が順に積層されている構造となっている。そのため、外部からの光を発電要素７１により電気に変換する場合、発光要素７２により外部から入射した光が減衰してしまい外部からの光を十分に利用することができない。
【０００６】
本発明は、このような従来技術に存在する問題点に着目してなされたものである。その目的とするところは、発電素子に入射する外部からの光をできるだけ減衰させないで入射させることができる複合発光装置を提供することにある。
【課題を解決するための手段】
【０００７】
上記の目的を達成するために、請求項１に記載の発明は、ＥＬ素子及び発電素子を備えている複合発光装置であって、前記ＥＬ素子は、基板上に形成されており、発電素子は、外部からの光を電気に変換するとともに、前記基板上の前記ＥＬ素子が形成されている部分以外の部分に形成されていることを特徴とする。
【０００８】
この発明では、ＥＬ素子は、基板上に形成されており、発電素子は、前記基板上のＥＬ素子が形成されている部分以外の部分に形成されている。従って、この発明では、発電素子と発光素子とが順に積層されている場合に比較して発電素子に入射する外部からの光をできるだけ減衰させないで入射させることができる。
【０００９】
請求項２に記載の発明は、ＥＬ素子及び発電素子を備えている複合発光装置であって、ＥＬ素子及び発電素子がそれぞれ個別の基板上に形成され、それぞれがＥＬパネル及び発電パネルを形成しており、前記ＥＬパネル及び前記発電パネルを平面状又は湾曲した面状に配列して構成されている。
【００１０】
この発明では、ＥＬパネル及び発電パネルを平面状又は湾曲した面状に配列して構成されているため、それぞれのＥＬパネル及び発電パネルを別々の製造工程で作ることができる。  
【００１１】
請求項３に記載の発明は、請求項２に記載の発明において、前記複合発光装置は、複数の前記ＥＬパネル及び前記発電パネルを備えており、それぞれの前記ＥＬパネル及びそれぞれの前記発電パネルが平面状又は湾曲した面上に配列されている。従って、１つのＥＬパネル及び発電パネルよりも大きいＥＬパネル及び発電パネルを容易に作ることができる。
【００１２】
請求項４に記載の発明は、請求項１から請求項３に記載の発明において、前記複合発光装置は、前記発電素子により光から変換された電気を充電する充電部を備えている。従って、前記充電部に充電された電気を用いて前記ＥＬ素子を発光させることができる。
【００１３】
請求項５に記載の発明は、請求項１から請求項４のいずれか一項に記載の発明において、前記複合発光装置は、外部からの電源を備えており、前記電源から供給される電気を用いて前記ＥＬ素子を発光させることができる。従って、外部の電源の電気を用いて前記ＥＬパネルを発光させることができる。
【００１４】
請求項６に記載の発明は、請求項１から請求項５のいずれか一項に記載の発明において、前記複合発光装置の外部からの光が入射する側の少なくとも前記ＥＬ素子に対応する部分上に紫外線を減衰させる機能を備えた紫外線減衰部材が設けられている。ここで「紫外線減衰部材」とは、例えば、紫外線フィルター、紫外線を反射させる紫外線反射膜又は紫外線吸収材が添加された紫外線減衰層が使用される。この発明では、少なくともＥＬ素子上に紫外線減衰部材が設けられているためＥＬ素子に入射する紫外線を減衰させることができる。
【００１５】
請求項７に記載の発明は、請求項１から請求項６のいずれか一項に記載の発明において、前記複合発光装置は、センサーが備えられており、センサーからの信号に基づいて前記ＥＬ素子の点灯及び/又は消灯を制御している。この発明では、センサーからの信号に基づいてＥＬ素子の点灯及び/又は消灯を制御しているため常にＥＬ素子を発光させている場合に比べて全体として消費するエネルギーを低減することができる。
【００１６】
請求項８に記載の発明は、請求項１から請求項７のいずれか一項に記載の発明において、前記ＥＬ素子は有機ＥＬ素子である。
【発明の効果】
【００１７】
本発明によれば、ＥＬ素子と発電素子とを備える複合発光装置において、当該装置に入射した光が発電素子に到達するまでの減衰量を低減することができる。
【発明を実施するための最良の形態】
【００１８】
（第１の実施形態）
以下、本発明に係る複合発光装置を具体化した第１の実施形態について図１，２を用いて詳細に説明する。図１は、複合発光装置の模式図であり、図２は、複合発光装置の模式正面図である。
【００１９】
図１，２に示すように、複合発光装置１０は、基板としての透明基板１１上に有機ＥＬ素子２７が形成されており、透明基板１１の有機ＥＬ素子２７が形成されている部分以外の部分に発電素子２８が形成されている。有機ＥＬ素子２７と発電素子２８とは絶縁部材２２を介して電気的に絶縁されている。また、外部からの光が入射される有機ＥＬ素子２７の部分に対応する透明基板１１上には紫外線を減衰するための機能を備えた紫外線減衰部材としての紫外線フィルター１９が貼付されている。さらに、複合発光装置１０の発電素子２８が形成されている部分上にセンサー２１が取り付けられている。加えて、複合発光装置１０は、制御部２３、充電部としての蓄電池２０及び電源装置２６を有している。発電素子２８と蓄電池２０とはダイオード２５を介して並列に接続されており、発電素子２８から蓄電池２０へは電流が流れるが逆方向には電流が流れないようになっている。
【００２０】
有機ＥＬ素子２７は、スイッチ２４を介して蓄電池２０又は電源装置２６に接続され、スイッチ２４によって、蓄電池２０に接続されるか、電源装置２６に接続されるか、あるいはどちらにも接続されないかが選択される。
【００２１】
有機ＥＬ素子２７は、透明基板１１上に陽極１２、有機ＥＬ層１３及び陰極１４が順に積層されている。陽極１２は可視光透過性を有している（透明である）。有機ＥＬ素子２７は有機ＥＬ層１３の発光が透明基板１１側から取り出される（出射される）ボトムエミッションタイプの有機ＥＬ素子を構成する。
【００２２】
陽極１２は、透明導電材が使用され、この実施形態ではＩＴＯ（インジウム錫酸化物）で形成されている。有機ＥＬ層１３には、例えば、陽極１２側から順に、正孔注入層、発光層及び電子注入層の３層あるいは正孔注入層、正孔輸送層、発光層及び電子輸送層の４層で構成されている。有機ＥＬ層１３は、白色発光を行うように構成されている。陰極１４は材料として光に対する反射性を有する金属が使用され、金属として例えばアルミニウム（アルミニウム合金を含む）が使用される。
【００２３】
発電素子２８は、透明基板１１上に負極１５、発電層１６及び正極１７が順に積層されている。
【００２４】
負極１５及び正極１７は、それぞれ有機ＥＬ素子２７の陽極１２及び陰極１４と同様なものが使用される。
【００２５】
発電層１６は、光を電気に変換する機能を備えている、例えば、結晶系の太陽電池、非結晶系の太陽電池及び有機化合物系の太陽電池などが使用される。この実施形態では発電層１６として非結晶系の水素化アモルファスシリコン薄膜を用いた水素化アモルファスシリコン太陽電池が使用されている。発電層１６は、不純物をドープしていないｉ層としての水素化アモルファスシリコン薄膜層にそれぞれリン（Ｐ）とホウ素（Ｂ）などをドープしたｎ層とｐ層とで挟まれているｐｉｎ接合で構成されている。単結晶系の太陽電池は、ｐｎ接合を持つキャリア拡散型で構成されているが、水素化アモルファスシリコン太陽電池はｐ層とｎ層のキャリア拡散長が短いためｐｎ接合の間にｉ層を用いたキャリアドリフト型で構成されている。
【００２６】
発電素子２８に外部から光（光子）が入射すると光電効果により電子と正孔とが生成される。生成された電子と正孔は、ｐｉｎ接合による内部電界に従ってそれぞれ電子がｎ層に正孔がｐ層に拡散してそれぞれ負極１５及び正極１７に集まり、負極と正極の間には、正極が負極に対して電位が高くなるように起電力（電圧）が生じる。
【００２７】
また、陽極１２、有機ＥＬ層１３、陰極１４、負極１５、発電層１６及び正極１７などを水分などから保護するための保護膜１８が形成されている。保護膜１８は、少なくとも陽極１２、有機ＥＬ層１３、陰極１４、負極１５、発電層１６及び正極１７の互いに隣接する面以外の部分を覆うように形成されている。保護膜１８は、少なくとも水分（水蒸気）及び酸素の透過を抑制する機能を有する材料で形成され、保護膜１８の材料としては、例えば、酸化ケイ素、窒化ケイ素、ポリシラザン等が使用される。
【００２８】
透明基板１１上に構成されている有機ＥＬ素子２７と発電素子２８との間には絶縁部材２２が設けられている。この実施形態では絶縁部材２２としてフォトレジストが使用されている。
蓄電池２０は、発電素子２８から発電された電気を蓄え、当該電気を有機ＥＬ素子２７に供給する。蓄電池としては、鉛蓄電池、ニッケルカドニウム電池、ニッケル水素電池、リチウムイオン電池等の通常の２次電池を使用することができる。また、発電素子２８で発生する電圧を蓄電池２０に充電するのに適した電圧に変換したり、蓄電池２０からの電圧を有機ＥＬ素子２７に印可するのに適した電圧に変換する電圧変換部を設けてもよい。
【００２９】
センサー２１は、周囲の明るさ及び人の存在の少なくともどちらかの機能を備えたセンサーが使用される。例えば、周りが明るいときには有機ＥＬ素子２７が発光を行わないようにするための周りの明るさを検知する照度センサーや人の存在を検知する赤外線センサーや人などから放射される熱線の量の変化を検知する熱線センサーなどが使用される。この実施形態ではセンサー２１として照度センサーと熱線センサーが使用されている。
【００３０】
制御部２３には、センサー２１からの信号及び蓄電池２０の充電状況信号が入力される。蓄電池２０の充電状況信号としては、例えば、蓄電池２０の端子間電圧や、充放電電流の積分信号等を用いることができる。制御部２３は、センサー２１からの信号及び蓄電池２０の充電状況信号に基づいてスイッチ２４を切り替え、有機ＥＬ素子２７を発電素子２８に接続するか、蓄電池２０に接続するか、あるいはどちらにも接続しないかを選択する。
【００３１】
なお、図１では、模式的に各部を示しており、実際は透明基板１１（例えば、ガラス板）の厚さが０．３ｍｍ〜２ｍｍ程度に対して、陽極１２、有機ＥＬ層１３、陰極１４、正極１５、発電層１６及び負極１７の厚さは数十〜数千ｎｍ程度である。
【００３２】
次に、前記のように構成された複合発光装置１０の作用を説明する。
【００３３】
複合発光装置１０の周りが明るい場合は、照度センサーにより周りが明るいことを検出し、その信号により制御部２３がスイッチ２４を切り替えて、有機ＥＬ素子２７が発電素子２８と電源装置２６のいずれにも接続されない状態にする。これにより、有機ＥＬ素子２７への電気の供給は遮断され有機ＥＬ素子２７は発光しない。また、この時、外部からの光により発電素子２８が発電し、発電された電気は、ダイオード２５を通して蓄電池２０に蓄えられる。
【００３４】
複合発光装置１０の周りが暗く、更に周囲に人が存在しない場合は、照度センサーにより周りが暗いことを検出し、熱線センサーにより人がいないことを検出する。そして、制御部２３がセンサー２１からこれらの信号を受け取り、周りが明るい場合と同様にスイッチ２４を切り替えて、有機ＥＬ素子２７は発光しないようにする。
【００３５】
複合発光装置１０の周りが暗く、人が存在し、かつ蓄電池２０の充電が十分にある場合は、制御部２３は、センサー２１からの信号及び蓄電池２０からの充電状況の信号を受け取りスイッチ２４を切り替えて、有機ＥＬ素子２７を蓄電し２０に接続する。これにより、有機ＥＬ素子２７は、蓄電池２０に蓄えられた電気により発光する。従って、有機ＥＬ素子２７は、周囲が明るい時に発電素子２８により発電された電気により発光する。
【００３６】
複合発光装置１０の周りが暗く、人の存在を検出し、かつ蓄電池２０の充電が有機ＥＬ素子２７を発光させるのに不十分である場合は、制御部２３は、センサー２１からの信号及び蓄電池２０からの充電状況の信号に基づいてスイッチ２４を切り替え、有機ＥＬ素子２７と電源装置２６とを接続する。そして、有機ＥＬ素子２７は、電源装置２６からの電気により発光する。従って、蓄電池２０が十分に充電されていない場合にも、有機ＥＬ素子２７を発光させることが可能となる。
【００３７】
この実施形態では以下の効果を有する。
【００３８】
（１）透明基板１１上に有機ＥＬ素子２７が形成され、透明基板１１上の有機ＥＬ素子２７が形成されている部分以外の部分に外部からの光を電気に変換する発電素子２８が形成されている。従って、発電素子２８と有機ＥＬ素子２７とが順に積層されている場合と比較して発電素子２８に入射される外部からの光が減衰することを低減することができる。
【００３９】
（２）有機ＥＬ素子２７と発電素子２８とが一体化されているため、有機ＥＬ素子２７と発電素子２８とを別々に設置し、外部で配線等をする必要がなくなる。そのため、複合発光装置１０の設置が容易となる。
【００４０】
（３）複合発光装置１０は蓄電池２０を備えているため、発電素子２８からの電気を蓄えておくことができる。これにより、例えば、夜間などに外部からの光を利用して発電できない場合でも、蓄電池２０に蓄えられた電気を用いて有機ＥＬ素子２７を発光させることができる。
【００４１】
（４）複合発光装置１０は電源装置２６を備えているため、電源装置２６の電気を用いて有機ＥＬ素子２７を発光させることができる。
【００４２】
（５）複合発光装置１０の外部からの光が入射する側の少なくとも有機ＥＬ素子２７に対応する部分上に紫外線フィルター１９が貼付されている。従って、この発明では、有機ＥＬ素子２７に入射する紫外線を減衰することができる。このため、有機ＥＬ素子２７の劣化を防止することができる。
【００４３】
（６）複合発光装置１０は、照度センサー及び熱線センサーから構成されるセンサー２１を備えている。そのため、周りの明るさや、周囲の人の存在によって、有機ＥＬ素子２７の点灯及び/又は消灯を制御することができる。
【００４４】
（７）有機ＥＬ素子２７を発光させる場合、制御部２３は、蓄電池２０の充電状況信号に基づいてスイッチ２４を切り替え、有機ＥＬ素子２７を蓄電池２０に接続するか、電源装置２６に接続するかを選択する。従って、蓄電池２０に蓄えられている電気が不足した場合もスイッチ２４を切り替えることにより電源装置２６の電源を使って有機ＥＬ素子２７を発光させることができる。
【００４５】
（第２の実施形態）
次に第２の実施形態を図３，４を用いて説明する。この実施形態では、複合表示装置がＥＬパネル及び発電パネルを備えている点が前記第１の実施形態と異なる。第１の実施形態と実質上同一部分は同一の符号を付してその詳しい説明を省略する。
【００４６】
図３に示すように、複合発光装置１０が標識に具体化されている。この実施形態では、有機ＥＬ素子２７及び発電素子２８がそれぞれ個別の透明基板上に形成され、ＥＬパネル４２及び発電パネル４３が少なくとも１個ずつ存在しており、ＥＬパネル４２及び発電パネル４３を平面状に配列して構成されている。
【００４７】
この実施形態では、ＥＬパネル４２は、右を向いた矢印型に形成された透明基板上に有機ＥＬ素子２７が形成されている。発電パネル４３は、長方形状の透明基板の中央部分がＥＬパネル４２と同じ形状に切り取られている透明基板上に発電素子２８が形成されている。
【００４８】
ＥＬパネル４２基板上にカラーフィルター４１が貼付されている。この実施形態では黄色のカラーフィルター４１が使用されている。また、この実施形態では有機ＥＬ層１３は、カラーフィルター４１と同色である黄色の発光を行うように構成されている。
【００４９】
図４に示すように、ＥＬパネル４２は、透明基板１１と、透明基板１１上に順に形成された陽極１２、有機ＥＬ層１３及び陰極１４とを備えている。
【００５０】
発電パネル４３は、透明基板３０と、透明基板３０上に順に形成された負極１５、発電層１６及び正極１７とを備えている。
【００５１】
ＥＬパネル４２と、発電パネル４３とは、この実施形態では電気的に絶縁性の接着剤により接合され平面状に配列して構成されている。
【００５２】
ＥＬパネル４２、発電パネル４３や蓄電池２０、センサー２１、スイッチ２４及び制御部２３は、第１の実施の形態と同様にそれぞれ接続されている。
【００５３】
この第２の実施形態によれば、第１の実施形態の（１）から（７）と同様の効果を有する他に次の効果を有する。
【００５４】
（８）有機ＥＬ素子２７及び発電素子２８がそれぞれ個別の透明基板に形成され、それぞれがＥＬパネル４２及び発電パネル４３を形成している。したがって、ＥＬパネル４２と発電パネル４３とを別々の製造工程で作ることができる。
【００５５】
（９）有機ＥＬ層１３の発光色である黄色と同色のカラーフィルター４１が透明基板１１の有機ＥＬ層１３と対応する部分上に形成されているため昼間も認識可能であり、かつ夜間に有機ＥＬ層１３を発光させる場合にも大きな効率の低下なしに利用することができる。
【００５６】
実施形態は前記に限定されるものではなく、例えば次のように具体化してもよい。
【００５７】
○第１，２の実施形態では絶縁部材２２は凝固した時に透明になるように形成されているが、絶縁部材２２が凝固した時に有機ＥＬ素子２７の発光色及び陰極１４と異なる色で形成されていてもよい。例えば、絶縁部材２２が凝固したときに黒くなるようなもので形成されている場合、有機ＥＬ素子２７を発光させた時に、発光している部分（有機ＥＬ素子２７部分）と発光していない部分（発電素子２８部分）との輪郭を明確にすることができる。また、有機ＥＬ素子２７が発光されていない場合は、有機ＥＬ素子２７と発電素子２８との輪郭を明確にすることができる。
【００５８】
○第１，２の実施形態において、ＥＬパネル４２の陰極１４の材料に反射率の高い材料を使用し、発電パネル４３の負極１５の材料に吸収率の高い材料を使用して、ＥＬパネル４２の非発光時に両者に明暗の差がでるように形成してもよい。この場合、両者のコントラストが高いためにＥＬパネル４２の非発光時においても表示したいものを認識することができる。
【００５９】
○第２の実施形態では、複合発光装置１０は、ＥＬパネル４２と発電パネル４３とが平面状に配列して構成されているが湾曲した面状に構成されていてもよい。この場合、例えば、ガードレールのコーナーなどの湾曲を持った平面状にでも複合発光装置を設置することができる。
【００６０】
○第１，２の実施形態では、保護膜１８が形成されているが缶封止を用いてもよい。
【００６１】
○第１，２の実施形態では、センサー２１は発電素子２８部分に取り付けられているが、複合発光装置１０以外の部分、例えば、複合発光装置１０が取り付けられている壁などに取り付けてもよい。
【００６２】
○第１，２の実施形態では、複合照明装置１０はセンサー２１を備えているが、センサー２１を備えていない構成であってもよい。
【００６３】
○第１，２の実施形態では、透明基板１１上に有機ＥＬ層１３は１つで構成されているが、透明基板１１上に複数の有機ＥＬ層１３があり、有機ＥＬ層１３が透明基板１１上に二次元的に配設されている構成にしてもよい。また、この場合、二次元的に配設された複数の有機ＥＬ層１３がそれぞれ異なる発光色を発光するように構成してもよい。この場合、有機ＥＬ層１３が様々な発光色を用いることで複合発光装置１０を全体として所定の形状を表示することができる。
【００６４】
○第１，２の実施形態では、透明基板１１，３０上に１つの発電層１６で構成されているが、透明基板１１，３０上に形成されている発電層１６が複数あり、発電層１６が透明基板１１上に二次元的に配設されている構成にしてもよい。
【００６５】
○第１の実施形態では、陽極１２と負極１５は有機ＥＬ素子２７及び発電素子２８で別々に形成されているが陽極１２と負極１５は有機ＥＬ素子２７及び発電素子２８で共有されている構成にしてもよい。
【００６６】
○複合発光装置１０は、第２の実施形態の標識に限らず、例えば、店の照明広告、名札など様々なものに利用することができる。
【００６７】
○第１，２の発電素子２８は、結晶系、非結晶系及び化合物系の太陽電池の単体である必要はなく、前記太陽電池のそれぞれを組み合わせたものを使用してもよい。
【００６８】
○第１，２の実施形態では水素化アモルファスシリコンを用いた太陽電池の構造はｐ層、ｉ層及びｎ層で構成されているがこれに限らず、それぞれの層を複数積層した多層構造で構成にしてもよい。この場合、単純なｐ層、ｉ層及びｎ層のみを用いた構成に比べて高い電圧を得ることができる。
【００６９】
○第１，２の実施形態では、外部からの電源として電源装置２６を用いているが、発電素子２８の発電量が十分にあり、夜間などに充電部に蓄えられている電気が不足しなければ電源装置２６を用いなくてもよい。
【００７０】
○第１，２の実施形態では、有機ＥＬ層１３は、白色発光及び黄色発光を行うように構成されているが、これに限らず、どのような色の発光を行うように構成されていてもよい。また、それぞれの有機ＥＬ素子２７が同一の発光を行う必要はなく、様々な発光を行うように構成されていてもよい。
【００７１】
○第１，２の実施形態では有機ＥＬ素子２７から発光される光が透明基板１１側から取り出されるボトムエミッションタイプの有機ＥＬ素子を構成しているが、有機ＥＬ素子２７から発光される光が透明基板１１側とは反対側から取り出されるトップエミッションタイプの有機ＥＬ素子で構成されていてもよい。
【００７２】
○第２の実施形態で有機ＥＬ層１３から発光される光は黄色で構成され、透明基板１１の有機ＥＬ層１３に対応する部分上に同色である黄色のカラーフィルター４１が貼付されているが、有機ＥＬ層１３から発光される光は白色発光をする構成であってもよい。この場合、白色発光であれば、黄色のカラーフィルター４１を介して黄色の発光を行える。
【００７３】
○第２の実施形態ではカラーフィルター４１は、黄色で構成されているが、黄色にかかわらずどのような色のカラーフィルターを用いてもよい。また、単色である必要はなく、任意の色を組み合わせたカラーフィルターを用いてもよい。
【００７４】
○第２の実施形態では、複合発光装置１０は、ＥＬパネル４２及び発電パネル４３はそれぞれ１個ずつで形成されているが１個ずつに限らずＥＬパネル４２及び発電パネル４３を複数用いてもよい。この場合、１個のＥＬパネルを用いた場合に比べて大きい面積を照射できると共に、１個の発電パネルを用いた場合に比べて大きい受光面積を得ることができる。また、ＥＬパネル４２を複数用いて大型の発光装置を作ることができるため、同じ大きさの発光装置を１つの有機ＥＬ素子で作る場合と比較して歩留まりがよくなる。さらに、発電パネル４３を複数用いて大型の太陽電池を作ることができるため、同じ大きさの太陽電池を１つの発電素子で作る場合と比較して歩留まりがよくなる。
【００７５】
○有機ＥＬ層１３は、発光層のみの単層構成、または正孔注入層、正孔輸送層、正孔注入輸送層、正孔阻止層、電子注入層、電子輸送層、電子阻止層の一層以上と、発光層とが積層された多層構成のいずれであってもよい。
【００７６】
○陽極極１２及び負極１５の材質はＩＴＯに限らず、酸化亜鉛を用いてもよい。また、陽極１２及び負極１５を導電性を有する透明な材質ではなく、極薄い金属層で透明に構成してもよい。極薄いとは５０ｎｍ以下を意味し、０．５〜２０ｎｍの範囲が好ましい。
【００７７】
○第１，２の実施形態では陰極１４及び正極１７は、アルミニウムなどの金属電極が用いられているが陽極１２や負極１５と同様にＩＴＯ、酸化亜鉛及び極薄い金属層などを用いてもよい。
【００７８】
○透明基板１１の材質はガラスに限らず、例えば、透明な樹脂などであってもよい。
【００７９】
○第１，２の実施形態では基板として透明基板１１、３０を使用しているが有機ＥＬ素子２７がトップエミッションタイプで構成されている場合は、透明である必要はなく、例えば、金属基板などを用いてもよい。
【００８０】
以下の技術的思想（発明）は、前記実施形態から把握できる。
【００８１】
（１）前記有機ＥＬ層は、白色発光するように構成されている
【図面の簡単な説明】
【００８２】
【図１】第１の実施形態の模式断面図。
【図２】第１の実施形態の模式正面図。
【図３】第２の実施形態の模式正面図。
【図４】第２の実施形態の模式断面図。
【図５】従来技術の模式断面図。
【符号の説明】
【００８３】
１０・・・複合発光装置、１１，３０・・・基板としての透明基板、１９・・・紫外線減衰部材としての紫外線フィルター、２０・・・充電部としての蓄電池、２１・・・センサー、２７・・・ＥＬ素子としての有機ＥＬ素子、２８・・・発電素子。
【図１】
2005203239.tif 000003
【図２】
2005203239.tif 000004
【図３】
2005203239.tif 000005
【図４】
2005203239.tif 000006
【図５】
2005203239.tif 000007